(57)【要約】  実施形態の電池パックは、例えば、第一の筐体と、複数の電池モジュールと、を備える。第一の筐体は、第一の外壁部と、第一の外壁部と離間した第二の外壁部と、を有する。複数の電池モジュールは、第一の筐体内に設けられ、それぞれが第二の筐体、および第二の筐体に収容された複数の電池セルを有する。第一の外壁部には、複数の電池モジュールのうちの少なくとも一つの、第二の筐体が、接続され、第二の外壁部には、複数の電池モジュールのうち第二の筐体が第一の外壁部に接続されたものとは別の少なくとも一つの電池モジュールの、第二の筐体が、接続される。
2015178456.tif 000002
【特許請求の範囲】
【請求項１】
第一の外壁部と、前記第一の外壁部と離間した第二の外壁部と、を有した第一の筐体と、
前記第一の筐体内に設けられ、それぞれが第二の筐体、および前記第二の筐体に収容された複数の電池セルを有した、複数の電池モジュールと、
を備え、
前記第一の外壁部には、前記複数の電池モジュールのうちの少なくとも一つの、前記第二の筐体が、接続され、
前記第二の外壁部には、前記複数の電池モジュールのうち前記第二の筐体が前記第一の外壁部に接続されたものとは別の少なくとも一つの前記電池モジュールの、前記第二の筐体が、接続された、電池パック。
【請求項２】
前記第一の外壁部と第二の外壁部とは互いに向き合った、請求項１に記載の電池パック。
【請求項３】
前記複数の電池モジュールは、それぞれ正極端子および負極端子を有し、
前記第一の外壁部に前記第二の筐体が接続された複数の前記電池モジュールが第一の方向に沿って並び、
前記第一の外壁部に沿って並んだ前記複数の電池モジュールの前記正極端子は、前記第一の方向の一方側に位置されるとともに、前記負極端子は他方側に位置された、請求項１または２に記載の電池パック。
【請求項４】
前記第二の外壁部に前記第二の筐体が接続された複数の前記電池モジュールが前記第一の方向に沿って並び、
前記第二の外壁部に沿って並んだ前記複数の電池モジュールの前記正極端子は、前記第一の方向の他方側に位置されるとともに、前記負極端子は一方側に位置された、請求項３に記載の電池パック。
【請求項５】
前記第一の外壁部または前記第二の外壁部に前記第二の筐体が接続された前記電池モジュールの当該第二の筐体は、前記第一の外壁部または前記第二の外壁部と接続された第一の壁部と、当該第一の壁部とは反対側の第二の壁部とを有し、
前記正極端子および前記負極端子は、前記第二の筐体の前記第一の壁部よりも前記第二の壁部の近くに位置された、請求項３または４に記載の電池パック。
【請求項６】
前記第一の外壁部または前記第二の外壁部に前記第二の筐体が接続された前記電池モジュールの当該第二の筐体は、前記第一の外壁部または前記第二の外壁部と接続された第一の壁部と、当該第一の壁部とは反対側の第二の壁部とを有し、
前記複数の電池セルが前記第一の壁部と接続された、請求項１〜５のうちいずれか１項に記載の電池パック。
【請求項７】
前記第一の筐体には開口部が設けられ、
前記第一の外壁部および前記第二の外壁部のうち少なくとも一方が、前記開口部の一部を形成している、請求項１〜６のうちいずれか１項に記載の電池パック。
【請求項８】
前記第一の筐体は、少なくとも、防塵性および防滴性を有した、請求項１〜７のうちいずれか１項に記載の電池パック。
【請求項９】
前記第一の外壁部および前記第二の外壁部のうち少なくとも一方を冷却する冷却機構を備えた、請求項１〜８のうちいずれか１項に記載の電池パック。
【請求項１０】
前記第二の筐体を前記第一の外壁部または前記第二の外壁部に押し付ける弾性部材を備えた、請求項１〜９のうちいずれか１項に記載の電池パック。
【請求項１１】
前記第一の筐体内の流体を流動させる第一の流動装置を備えた、請求項１〜１０のうちいずれか１項に記載の電池パック。
【請求項１２】
複数の、請求項１〜１１のうちいずれか１項に記載の電池パックと、
前記複数の電池パックを収容する収容体と、
前記収容体内の流体を流動させる第二の流動装置と、
を備えた、電池装置。
【発明の詳細な説明】
【技術分野】
【０００１】
本発明の実施形態は、電池パックおよび電池装置に関する。
【背景技術】
【０００２】
従来、筐体と、筐体の下壁部（外壁部）に設けられ、それぞれの内部に風を流す空間部が形成された複数の電池モジュールと、を備えた電池パックが知られている。
【先行技術文献】
【特許文献】
【０００３】
【特許文献１】特開２０１２−１２８９８４号公報
【発明の概要】
【発明が解決しようとする課題】
【０００４】
この種の構造では、例えば、より簡単な構成でより多くの電池モジュールが冷却されやすい電池パックおよび電池装置が得られれば、好ましい。
【課題を解決するための手段】
【０００５】
実施形態の電池パックは、例えば、第一の筐体と、複数の電池モジュールと、を備える。第一の筐体は、第一の外壁部と、第一の外壁部と離間した第二の外壁部と、を有する。複数の電池モジュールは、第一の筐体内に設けられ、それぞれが第二の筐体、および第二の筐体に収容された複数の電池セルを有する。第一の外壁部には、複数の電池モジュールのうちの少なくとも一つの、第二の筐体が、接続され、第二の外壁部には、複数の電池モジュールのうち第二の筐体が第一の外壁部に接続されたものとは別の少なくとも一つの電池モジュールの、第二の筐体が、接続される。
【図面の簡単な説明】
【０００６】
【図１】図１は、第１実施形態の電池パックの一例の分解斜視図である。
【図２】図２は、第１実施形態の電池パックの一例の第一筐体部材の側面図である。
【図３】図３は、第１実施形態の電池パックの一例の電池モジュールが筐体に取り付けられた状態を外壁部とは反対側（筐体中心側）から見た斜視図である。
【図４】図４は、図３の分解斜視図である。
【図５】図５は、第１実施形態の電池パックの一例の電池モジュールの分解斜視図である。
【図６】図６は、第１実施形態の電池パックの一例の電池セルの斜視図である。
【図７】図７は、第１実施形態の電池パックの一例の電池モジュールを外壁部側から見た斜視図である。
【図８】図８は、第１実施形態の電池パックの一例の電池モジュールが筐体に取り付けられた状態を外壁部側から透視して見た斜視図である。
【図９】図９は、第２実施形態の電池パックの一例の第一筐体部材の側面図である。
【図１０】図１０は、第３実施形態の電池パックの一例の第一筐体部材の側面図である。
【図１１】図１１は、第４実施形態の電池パックの一例の概略構成を示す側面図である。
【図１２】図１２は、第５実施形態の電池パックの一例の概略構成を示す側面図である。
【図１３】図１３は、第６実施形態の電池パックの一例の概略構成を示す側面図である。
【図１４】図１４は、第７実施形態の電池パックの一例の概略構成を示す側面図である。
【図１５】図１５は、第８実施形態の電池装置を備えた車両の一例の側面図である。
【図１６】図１６は、図１５のXVI-XVI断面図である。
【図１７】図１７は、第８実施形態の電池装置の一例の平面図である。
【発明を実施するための形態】
【０００７】
以下、図面を参照して、実施形態について説明する。なお、以下の例示的な複数の実施形態には、同様の構成要素が含まれている。よって、以下では、同様の構成要素には共通の符号が付されるとともに、重複する説明が省略される。また、以下に示される実施形態の構成（技術的特徴）、ならびに当該構成によってもたらされる作用および結果（効果）は、一例である。
【０００８】
＜第１実施形態＞
図１，２に示されるように、電池パック１（電池システム、組電池装置、蓄電池装置）は、筐体２（第一の筐体）と、筐体２に収容される複数（例えば、十二個）の電池モジュール３（組電池）と、を備える。電池パック１は、種々の装置や、機械、設備等に設置され、それら種々の装置や、機械、設備の電源として使用される。例えば、電池パック１は、ＬＲＴ（Light  Rail  Transit）等の電車や自動車の電源等、移動型の電源としても使用される他、例えば、ＰＯＳ（Point  Of  Sales）システム用の電源等、定置型の電源としても使用される。また、種々の装置等には、本実施形態に示される複数の電池パック１を、直列あるいは並列に接続したセットとして搭載することもできる。
【０００９】
筐体２は、直方体状に構成されている。筐体２は、複数の壁部２ａ〜２ｃを有する。本実施形態では、複数の壁部２ａ〜２ｃのうちいずれか一つの壁部（例えば、壁部２ｃ）が、平面に沿った姿勢で使用されうる。なお、以下の詳細な説明では、便宜上、壁部２ｃが平面に沿った姿勢を基準として方向を規定する。Ｘ方向は、筐体２の長手方向（筐体６の短手方向、電池セル７の厚さ方向）、Ｙ方向は、筐体２の短手方向（筐体６の長手方向、電池セル７の幅方向）、Ｚ方向は、筐体２の高さ方向（筐体６の高さ方向、電池セル７の高さ方向）である。Ｘ方向、Ｙ方向、およびＺ方向は、互いに直交している。
【００１０】
壁部２ａは、筐体２の長手方向（Ｘ方向）に間隔をあけて互いに平行に設けられた壁部２ａ１および壁部２ａ２を含む。壁部２ａ１および壁部２ａ２は、いずれも、筐体２の長手方向（Ｘ方向）と交差する方向（本実施形態では、例えば直交する方向、ＹＺ平面）に沿って延びている（拡がっている）。また、壁部２ｂは、筐体２の短手方向（Ｙ方向）に間隔をあけて互いに平行に設けられた壁部２ｂ１および壁部２ｂ２を含む。壁部２ｂ１および壁部２ｂ２は、いずれも、筐体２の短手方向（Ｙ方向）と交差する方向（本実施形態では、例えば直交する方向、ＸＺ平面）に沿って延びている（拡がっている）。壁部２ａや壁部２ｂは、側壁部等と称されうる。また、壁部２ｃは、筐体２の高さ方向（Ｚ方向）に間隔をあけて互いに平行に設けられた壁部２ｃ１および壁部２ｃ２を含む。壁部２ｃ１および壁部２ｃ２は、いずれも、筐体２の高さ方向（Ｚ方向）と交差する方向（本実施形態では、例えば直交する方向、ＸＹ平面）に沿って延びている（拡がっている）。壁部２ｃ１は下壁部（底壁部）等と称され、壁部２ｃ２は上壁部（天壁部）等と称されうる。複数の壁部２ａ〜２ｃは、それぞれ、外面２ｇと、内面２ｈと、を有する。また、複数の壁部２ａ〜２ｃは、筐体２の外郭、すなわち外壁部を構成している。
【００１１】
また、筐体２は、複数の部品（分割体）が組み合わせられて構成されうる。具体的には、本実施形態では、例えば、筐体２は、少なくとも壁部２ａ，２ｃを含む第一筐体部材２Ａ（ケース）と、少なくとも壁部２ｂ１を含む第二筐体部材２Ｂ（第一のカバー、第一の閉塞板）と、少なくとも壁部２ｂ２を含む第三筐体部材２Ｃ（第二のカバー、第二の閉塞板）と、を有する。第一筐体部材２Ａの内側には、筐体２の短手方向（Ｙ方向）に貫通した開口部２ｅが設けられている。第二筐体部材２Ｂは、第一筐体部材２ＡのＹ方向の一方側（図１の手前側）に位置され、当該一方側から開口部２ｅを塞ぐ。また、第三筐体部材２Ｃは、第一筐体部材２ＡのＹ方向の他方側（図１の奥側）に位置され、当該他方側から開口部２ｅを塞ぐ。第一筐体部材２Ａ、第二筐体部材２Ｂ、および第三筐体部材２Ｃは、例えば、金属材料等で構成されうる。
【００１２】
また、本実施形態では、例えば、第一筐体部材２Ａと第二筐体部材２Ｂとの間、および第一筐体部材２Ａと第三筐体部材２Ｃとの間には、それぞれシール部材４，５（例えば、ガスケットやパッキン等）が設けられている。シール部材４，５は、例えば、壁部２ｂ（開口部２ｅ）の縁部（端部、辺部）に沿った長方形状の枠状に構成されている。第二筐体部材２Ｂは、シール部材４を介して第一筐体部材２Ａと結合（一体化）され、第三筐体部材２Ｃは、シール部材５を介して第一筐体部材２Ａと結合（一体化）されている。すなわち、シール部材４，５によって、筐体２の周縁部が液密に塞がれている。よって、本実施形態によれば、例えば、筐体２の内部への塵芥や、鉄粉、水滴等の侵入を抑制することができる。なお、第一筐体部材２Ａや、第二筐体部材２Ｂ、第三筐体部材２Ｃ等には、筐体２内への塵芥や、鉄粉、水滴等の侵入を抑制できれば、通気口や、通気口を覆う防塵フィルタおよびトリップ等が設けられてもよい。このように、本実施形態では、複数の電池モジュール３は、少なくとも、防塵性および防滴性を有した筐体２内に収容されている。
【００１３】
図５に示されるように、電池モジュール３（組電池）は、筐体６（第二の筐体）と、筐体６に収容される複数（例えば、十八個）の電池セル７（単電池）と、複数の電池セル７を電気的に接続する導電部材８，９と、を有する。本実施形態では、筐体６の短手方向（Ｘ方向）に沿って一列に並んだ複数（例えば、六つ）の電池セル７が、筐体６の長手方向（Ｙ方向）に沿って複数組（例えば、三組）並べられた状態で、筐体６に収容されている。複数の電池セル７は、それぞれ、一対の正極端子１３および負極端子１４を有する。正極端子１３と負極端子１４とは、筐体６に設けられた開口部６ｆを貫通した状態で、導電部材８，９と結合される。電池モジュール３では、例えば、筐体６の長手方向（Ｙ方向）や短手方向（Ｘ方向）に隣接する二つの電池セル７の正極端子１３と負極端子１４とが導電部材８を介して電気的に接続されるとともに、筐体６の端部に設けられた導電部材９（出力端子部）を介して電力が取り出される。
【００１４】
筐体６（第二の筐体）は、直方体状に構成されている。筐体６は、複数の壁部６ａ〜６ｃを有する。壁部６ａは、筐体６の長手方向（Ｙ方向）に間隔をあけて互いに平行に設けられた壁部６ａ１および壁部６ａ２を含む。壁部６ａ１および壁部６ａ２は、いずれも、筐体６の長手方向（Ｙ方向）と交差する方向（本実施形態では、例えば直交する方向、ＸＺ平面）に沿って延びている（拡がっている）。また、壁部６ｂは、筐体６の短手方向（Ｘ方向）に間隔をあけて互いに平行に設けられた壁部６ｂ１および壁部６ｂ２を含む。壁部６ｂ１および壁部６ｂ２は、いずれも、筐体６の短手方向（Ｘ方向）と交差する方向（本実施形態では、例えば直交する方向、ＹＺ平面）に沿って延びている（拡がっている）。壁部６ａや壁部６ｂは、側壁部等と称されうる。また、壁部６ｃは、筐体６の高さ方向（Ｚ方向）に間隔をあけて互いに平行に設けられた壁部６ｃ１および壁部６ｃ２を含む。壁部６ｃ１および壁部６ｃ２は、いずれも、筐体６の高さ方向（Ｚ方向）と交差する方向（本実施形態では、例えば直交する方向、ＸＹ平面）に沿って延びている（拡がっている）。壁部６ｃ１は下壁部（底壁部）等と称され、壁部６ｃ２は上壁部（天壁部）等と称されうる。複数の壁部６ａ〜６ｃは、それぞれ、外面６ｇと、内面６ｈと、を有する。
【００１５】
また、図５に示されるように、筐体６は、壁部６ａと平行な複数（例えば、二つ）の壁部６ｉと、壁部６ｂと平行な複数（例えば、五つ）の壁部６ｊと、を有する。壁部６ｉは、いずれも、壁部６ａ１と壁部６ａ２との間に位置され、壁部６ｂ１と壁部６ｂ２との間に亘っている。壁部６ｉは、壁部６ａ１や壁部６ａ２とともに筐体６の長手方向（Ｙ方向）に間隔をあけて設けられ、筐体６内をＹ方向で複数（例えば、三つ）の収容領域（収容空間）に分割（区画）している。また、壁部６ｊは、いずれも、壁部６ｂ１と壁部６ｂ２との間に位置され、壁部６ａ１と壁部６ａ２との間に亘っている。壁部６ｊは、壁部６ｂ１や壁部６ｂ２とともに筐体６の短手方向（Ｘ方向）に間隔をあけて設けられ、筐体６内をＸ方向で複数（例えば、六つ）の収容領域（収容空間）に分割（区画）している。すなわち、本実施形態では、互いに交差した壁部６ａ，６ｉおよび壁部６ｂ，６ｊによって、筐体６内に合計十八個の収容室６ｅが設けられている。そして、各収容室６ｅには、一つずつ電池セル７が入れられている。筐体６内では、電池セル７と壁部６ｉとが交互にＹ方向に積み重ねられるとともに、電池セル７と壁部６ｊとが交互にＸ方向に積み重ねられている。壁部６ｉや壁部６ｊは、隔壁部や、仕切壁、分離壁等と称されうる。また、壁部６ｉ，６ｊは、絶縁部の一例である。
【００１６】
さらに、筐体６は、複数の部品（分割体）が組み合わせられて構成されうる。具体的には、本実施形態では、例えば、筐体６は、第一筐体部材６Ａ（下ケース、第一のケース）と、第二筐体部材６Ｂ（中ケース、第二のケース）と、第三筐体部材６Ｃ（上ケース、第三のケース、カバー、蓋部材）と、を有する。第一筐体部材６Ａは、少なくとも、壁部６ｃ１と、壁部６ａ，６ｂの一部と、を含む。第二筐体部材６Ｂは、少なくとも壁部６ａ，６ｂの一部を含む。第三筐体部材６Ｃは、少なくとも、壁部６ｃ２と、壁部６ａ，６ｂの一部と、を含む。また、壁部６ｉ，６ｊは、第一筐体部材６Ａ、第二筐体部材６Ｂ、および第三筐体部材６Ｃのうち少なくともいずれか一つ（例えば、第一筐体部材６Ａ）に含まれる。第一筐体部材６Ａ、第二筐体部材６Ｂ、および第三筐体部材６Ｃは、筐体２よりも熱伝導率が低い材料（例えば、絶縁性を有した合成樹脂材料等）で構成されうる。複数の電池モジュール３は、互いに絶縁されている。
【００１７】
電池セル７は、例えば、リチウムイオン二次電池として構成されうる。なお、電池セル７は、ニッケル水素電池や、ニッケルカドミウム電池、鉛蓄電池等、他の二次電池であってもよい。リチウムイオン二次電池は、非水電解質二次電池の一種であり、電解質中のリチウムイオンが電気伝導を担う。正極材料としては、例えば、リチウムマンガン複合酸化物や、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、一般式ＬｉｘＭ（１−ｙ）ＮｂｙＮｂ２Ｏ（７＋δ）で表されるニオブ複合酸化物等の酸化物材料等が用いられる。ここで、Ｍは、例えば、ＴｉおよびＺｒから成る群から選択される少なくとも一種であり、ｘ、ｙおよびδは、それぞれ、０≦ｘ≦６、０≦ｙ≦１および−１≦δ≦１を満たす数値である。また、電解質（例えば、電解液）としては、フッ素系錯塩（例えばＬｉＢＦ４、ＬｉＰＦ６）等のリチウム塩が配合された、例えば、炭酸エチレンや、炭酸プロピレン、炭酸ジエチル、炭酸エチルメチル、炭酸ジメチル等の有機溶媒等が単独であるいは複数混合されて用いられる。
【００１８】
図６に示されるように、電池セル７（単電池）は、筐体１１（容器）と、正極端子１３と、負極端子１４と、を有する。筐体１１は、Ｘ方向に薄い扁平な直方体状に構成されている。筐体１１は、例えば、金属材料や合成樹脂材料等で構成されうる。筐体１１内には、例えば、電極体や、電解液等が収容されている。電極体は、例えば、正極シートと、負極シートと、絶縁層（セパレータ）と、を有する。電極体は、正極シート、負極シート、および絶縁層が巻回されて（折り畳まれて）、扁平形状に構成されうる。電極体は、電極群であって発電要素として機能する。正極端子１３および負極端子１４は、筐体１１の面１１ａ（上面、天面）に設けられている。具体的には、正極端子１３は、面１１ａのＹ方向の一端側に位置され、負極端子１４は、面１１ａのＹ方向の他端側に位置されている。正極端子１３は、筐体１１の面１１ａを貫通した状態で設けられ、筐体１１の内側で電極体の正極リードと接続されている。また、負極端子１４は、筐体１１の面１１ａを貫通した状態で設けられ、筐体１１の内側で電極体の負極リードと接続されている。正極端子１３および負極端子１４は、それぞれ導電性材料によって構成されうる。
【００１９】
図５に示されるように、複数の電池セル７は、それぞれの面１１ａが同じ方向（図５の上方向）を向いた姿勢で、筐体６の長手方向（Ｙ方向）および短手方向（Ｘ方向）に並べられている。また、複数の電池セル７は、例えば、筐体６の長手方向（Ｙ方向）に沿う方向において、正極端子１３と負極端子１４とが交互に配置されるように並べられ、筐体６の短手方向（Ｘ方向）に沿う方向において、正極端子１３と負極端子１４とが交互に配置されるように並べられている。
【００２０】
電池モジュール３の組立に際し、本実施形態では、例えば、収容室６ｅのそれぞれに電池セル７が入れられた状態で、電池セル７と収容室６ｅの内面６ｈとの間等に、接着剤が流される（流し込まれる、注入される）。複数の電池セル７は、後に固化された接着剤によって、壁部６ａ，６ｂ（側壁部）や、壁部６ｉ，６ｊ（隔壁部）等に固定（すなわち、接着）される。なお、電池セル７を収容室６ｅに入れる前に、壁部６ｃ１（底壁部）の内面６ｈや、筐体１１の面１１ｂ（下面、底面）に予め接着剤を塗布しておいてもよい。壁部６ｃ１と面１１ｂとの間に接着剤が介在していない状態では、壁部６ｃ１（筐体６）と面１１ｂ（電池セル７）とが接触して接続する。一方、壁部６ｃ１と面１１ｂとの間に接着剤が介在した状態では、壁部６ｃ１（筐体６）と面１１ｂ（電池セル７）とが接着剤を介して間接的に接続する。接着剤は、熱伝導性を有している。よって、本実施形態では、筐体６の壁部６ｃ１は、筐体６内に収容される全ての電池セル７と熱的に接続されている。
【００２１】
導電部材８，９は、例えば、薄板状のバスバーとして構成されている。導電部材８，９は、第二筐体部材６Ｂの開口部６ｆから露出した正極端子１３および負極端子１４と、例えば、溶接等によって結合（固定、接続）される。また、一対の導電部材９のうちの一方は正極端子９ａとして機能し、他方は負極端子９ｂとして機能する。正極端子９ａは、いずれか一つの電池セル７の正極端子１３と接続され、負極端子９ｂは、正極端子９ａが接続された電池セル７とは別の電池セル７の負極端子１４と接続される。また、図３〜５に示されるように、正極端子９ａおよび負極端子９ｂは、壁部６ａ１から突出した状態で、第三筐体部材６Ｃの切欠部６ｄ（凹部、溝部）に入れられる（収容される）。正極端子９ａおよび負極端子９ｂは、電池モジュール３の出力端子部として機能する。なお、第二筐体部材６Ｂには、基板１０が設けられている。基板１０は、例えば、導電部材８，９や、温度センサ（図示されず）等と電気的に接続され、電池の電圧や温度を監視する監視基板や、電池制御のための制御基板として機能することができる。基板１０は、第二筐体部材６ＢのＹ方向の略中央部に位置されている。すなわち、導電部材８，９や、温度センサ等は、基板１０よりもＹ方向の外側に位置されている。なお、本実施形態では、第二筐体部材６Ｂ（電池モジュール３）に基板１０が設けられたが、設けられなくてもよい。また、この場合、基板１０の機能が分割されて電池セル７に内蔵されていてもよい。
【００２２】
図１，２に示されるように、本実施形態では、複数の電池モジュール３は、第一の電池モジュール３Ａと、第二の電池モジュール３Ｂと、第三の電池モジュール３Ｃと、を含む。第一の電池モジュール３Ａは、筐体２の壁部２ｃ１（下壁部）に取り付けられ、壁部２ｃ１と熱的に接続されている。第二の電池モジュール３Ｂは、複数の電池モジュール３のうち第一の電池モジュール３Ａとは別の電池モジュールであり、筐体２の壁部２ｃ２（上壁部）に取り付けられ、壁部２ｃ２と熱的に接続されている。また、第三の電池モジュール３Ｃは、複数の電池モジュール３のうち第一の電池モジュール３Ａおよび第二の電池モジュール３Ｂとは別の電池モジュールであり、筐体２の壁部２ａ（側壁部）に取り付けられ、壁部２ａと熱的に接続されている。本実施形態では、例えば、四つの第一の電池モジュール３Ａが、壁部２ｃ１にＸ方向（第一の方向）に沿って並んで配置され、四つの第二の電池モジュール３Ｂが、壁部２ｃ２にＸ方向（第一の方向）に沿って並んで配置されている。また、四つの第三の電池モジュール３Ｃのうち、二つの第三の電池モジュール３Ｃが、壁部２ａ１にＺ方向に沿って並んで配置され、残りの二つの第三の電池モジュール３Ｃが、壁部２ａ２にＺ方向に沿って並んで配置されている。すなわち、本実施形態では、第一の電池モジュール３Ａ、第二の電池モジュール２Ｂ、および第三の電池モジュール３Ｃが、全体として周状に配置されている。このように、本実施形態では、全ての電池モジュール３が、外壁部（周壁部）としての壁部２ａ１，２ａ２，２ｃ１，２ｃ２に取り付けられている。本実施形態では、壁部２ｃ１は、第一の外壁部の一例であり、壁部２ｃ２は、第二の外壁部の一例である。
【００２３】
また、複数の電池モジュール３は、それぞれの壁部６ａ１が同じ方向（図１のＹ方向の手前側）を向いた姿勢で、壁部２ａ１，２ａ２，２ｃ１，２ｃ２に取り付けられている。壁部６ａ１は、正極端子９ａおよび負極端子９ｂが設けられた壁部である。図４，５に示されるように、正極端子９ａおよび負極端子９ｂは、複数の電池セル７が熱的に接続された壁部６ｃ１（下壁部）よりも壁部６ｃ２（上壁部）の近くに位置されている。本実施形態では、壁部６ｃ１は、第一の壁部の一例であり、壁部６ｃ２は、第二の壁部の一例である。
【００２４】
また、図２に示されるように、複数の電池モジュール３の壁部６ｃ１（下壁部）は、それぞれが取り付けられる壁部２ａ１，２ａ２，２ｃ１，２ｃ２側を向いている。すなわち、第一の電池モジュール３Ａの壁部６ｃ１と壁部２ｃ１とが対向し、第二の電池モジュール３Ｂの壁部６ｃ１と壁部２ｃ２とが対向している。また、Ｘ方向の一方側（図２の右側）の第三の電池モジュール３Ｃの壁部６ｃ１と壁部２ａ１とが対向し、Ｘ方向の他方側（図２の左側）の第三の電池モジュール３Ｃの壁部６ｃ１と壁部２ａ２とが対向している。すなわち、第一の電池モジュール３Ａと第二の電池モジュール３Ｂとは、筐体２の高さ方向（Ｚ方向）で互いに反転した状態（姿勢）で設けられ、Ｘ方向の一方側と他方側の第三の電池モジュール３Ｃは、筐体２の長手方向（Ｘ方向）で互いに反転した状態（姿勢）で設けられている。よって、第一の電池モジュール３Ａでは、それぞれの正極端子９ａがＸ方向（第一の方向）の一方側（図２の右側）に位置され、第二の電池モジュール３Ｂでは、それぞれの正極端子９ａがＸ方向の他方側（図２の左側）に位置される。また、Ｘ方向の一方側（図２の右側）の第三の電池モジュール３Ｃでは、それぞれの正極端子９ａがＺ方向の一方側（図２の上側）に位置され、Ｘ方向の他方側（図２の左側）の第三の電池モジュール３Ｃでは、それぞれの正極端子９ａがＺ方向の他方側（図２の下側）に位置される。なお、第一の電池モジュール３Ａ、第二の電池モジュール３Ｂ、および第三の電池モジュール３Ｃの負極端子９ｂは、それぞれの正極端子９ａとは反対側に位置される。
【００２５】
電池パック１では、例えば、筐体２の長手方向（Ｘ方向）や高さ方向（Ｚ方向）に隣接する二つの電池モジュール３の正極端子９ａと負極端子９ｂとが導電部材１５を介して電気的に接続されるとともに、筐体２の端部に設けられた一対の導電部材１９を介して電力が取り出される。一対の導電部材１９のうち一方は、いずれか一つの電池モジュール３の正極端子９ａと接続され、他方は、一方が接続された電池モジュール３とは別の電池モジュール３の負極端子９ｂと接続される。本実施形態では、複数の電池モジュール３が全体として周状に配置され、かつ、正極端子９ａと負極端子９ｂとが周方向に沿って交互に並んでいる。よって、本実施形態によれば、例えば、複数の電池モジュール３を、導電部材１５を介して、周状に接続（電気的に接続）することができる。よって、互いに隣接する二つの電池モジュール３の任意のペアを一端および他端とする複数の電池モジュール３の直列回路を構成することができる。よって、例えば、一対の導電部材１９（例えば、出力ケーブル等）のレイアウトの自由度が高まりやすい。また、本実施形態では、それぞれの電池モジュール３の正極端子９ａおよび負極端子９ｂが壁部６ｃ２側（筐体２の中心部側）に位置されている。よって、本実施形態によれば、例えば、複数の導電部材１５の全長が、より短くなりやすい。
【００２６】
図３，４に示されるように、複数の電池モジュール３、すなわち第一の電池モジュール３Ａ、第二の電池モジュール３Ｂ、および第三の電池モジュール３Ｃは、ブラケット１６および結合具１７（例えば、ねじやボルト等）によって、それぞれが取り付けられる壁部２ａ１，２ａ２，２ｃ１，２ｃ２に結合（固定）されている。ブラケット１６は、筐体６の一対の壁部６ｂ１，６ｂ２および壁部６ｃ２と重なる略Ｕ字状の基部１６ａと、基部１６ａの外縁部からフランジ状に張り出して内面２ｈと重なる突出部１６ｂと、を有する。突出部１６ｂには、結合具１７が通される開口部１６ｃ（図４参照）が設けられている。ブラケット１６の高さ（Ｚ方向の高さ）は、筐体６の高さ（Ｚ方向の高さ）と略同じである。また、本実施形態では、基部１６ａと壁部６ｃ２との間には、薄板状の弾性部材１８が介在している。弾性部材１８は、例えば、ゴムや、エラストマ、合成樹脂材料、シリコン樹脂材料等で構成されうる。ブラケット１６の開口部１６ｃを通された結合具１７は、弾性部材１８が弾性的に縮んだ状態で、それぞれが取り付けられる壁部２ａ１，２ａ２，２ｃ１，２ｃ２に結合（固定）される。ブラケット１６および結合具１７は、筐体２と筐体６とを結合する結合部の一例である。なお、結合部は、例えば、結合バンドや、接着剤、両面テープ等で構成されてもよい。また、筐体６が、筐体２内に充填される発泡材料（発泡ウレタン等）によって、筐体２に結合（固定）される構成でもよい。
【００２７】
また、図７に示されるように、筐体６の壁部６ｃ１（底壁部）には、第一の部分２０が設けられている。第一の部分２０は、筐体６の長手方向（Ｙ方向）に沿って延びる複数の第一の部材２１（壁部、リブ）と、筐体６の短手方向（Ｘ方向）に沿って延びる複数の第二の部材２２（壁部、リブ）と、を有する。第一の部材２１は、筐体６の短手方向（Ｘ方向）に間隔をあけて互いに平行に設けられ、第二の部材２２は、筐体６の長手方向（Ｙ方向）に間隔をあけて互いに平行に設けられている。第一の部分２０は、これら第一の部材２１と第二の部材２２とが互いに交差しつつ繋がることにより、格子状に構成されている。そして、本実施形態では、例えば、第一の部分２０には、二つの第一の部材２１と二つの第二の部材２２とで囲まれた四角形状の凹部２３（溝部）が設けられている。凹部２３は、壁部６ｃ１の外面６ｇから内面６ｈ側に向けて凹んでいる。本実施形態によれば、壁部６ｃ１に設けられた格子状の第一の部分２０によって、筐体６の剛性や強度が高まりやすい。
【００２８】
そして、図８に示されるように、壁部６ｃ１（底壁部）とそれぞれが取り付けられる壁部２ａ１，２ａ２，２ｃ１，２ｃ２との間には、熱伝導部材２５が介在している。熱伝導部材２５は、例えば、熱伝導性フィラー（金属材料）が含有された合成樹脂材料等で構成されうる。本実施形態では、例えば、薄板状に分割された複数の熱伝導部材２５が、壁部６ｃ１の凹部２３に入れられている（収容されている）。熱伝導部材２５の厚さ（Ｚ方向の厚さ）は、凹部２３の深さ（Ｚ方向の深さ）よりもやや大きめに設定されている。複数の電池モジュール３は、熱伝導部材２５が弾性的に縮んだ状態で、それぞれの壁部２ａ１，２ａ２，２ｃ１，２ｃ２に結合（固定）される。なお、壁部６ｃ１と壁部２ａ１，２ａ２，２ｃ１，２ｃ２とが結合（固定）された状態では、壁部６ｃ１の外面６ｇと熱伝導部材２５の表面２５ａとは面一となる。熱伝導部材２５は、熱伝導層の一例である。なお、熱伝導層は、例えば、熱伝導シートや、グリス、接着剤等であってもよい。また、熱伝導部材２５は、薄板状の基部と、基部から突出した複数の突出部とを有し、複数の突出部が凹部２３に入れられる構成でもよい。本実施形態では、第一の電池モジュール３Ａの筐体６と壁部２ｃ１とが熱的に接続され、第二の電池モジュール３Ｂの筐体６と壁部２ｃ２とが熱的に接続される。また、Ｘ方向の一方側（図２の右側）の第三の電池モジュール３Ｃの筐体６と壁部２ａ１とが熱的に接続され、Ｘ方向の他方側（図２の左側）の第三の電池モジュール３Ｃの筐体６と壁部２ａ２とが熱的に接続される。なお、熱伝導部材２５が介在されずに、電池モジュール３の筐体６と筐体２とが熱的に接続されてもよい。
【００２９】
また、図３，４に示されるように、本実施形態によれば、弾性部材１８の弾性力によって、壁部６ｃ１や熱伝導部材２５が、それぞれが取り付けられる壁部２ａ１，２ａ２，２ｃ１，２ｃ２に押し付けられる。よって、本実施形態によれば、筐体６に収容された電池セル７の熱が、壁部６ｃ１や熱伝導部材２５を介して、壁部２ａ１，２ａ２，２ｃ１，２ｃ２に効果的に伝わりやすい。
【００３０】
以上のように、本実施形態では、例えば、複数の電池モジュール３は、壁部２ｃ１（第一の外壁部）と接続された少なくとも一つ（本実施形態では、四つ）の第一の電池モジュール３Ａと、壁部２ｃ２（第二の外壁部）と接続された少なくとも一つ（本実施形態では、四つ）の第二の電池モジュール３Ｂと、を含む。よって、本実施形態によれば、例えば、第一の電池モジュール３Ａおよび第二の電池モジュール３Ｂの電池セル７の熱を、それぞれの筐体６を介した熱伝達により、壁部２ｃ１，２ｃ２に逃がすことができる。よって、例えば、より簡単な構成でより多くの電池モジュール３が冷却されやすい。
【００３１】
また、本実施形態では、例えば、壁部２ｃ１（第一の外壁部）と壁部２ｃ２（第二の外壁部）とは互いに向き合っている。よって、本実施形態によれば、例えば、互いに向き合った二つの壁部２ｃ１，２ｃ２を、これら壁部２ｃ１，２ｃ２の間に位置された複数の電池モジュール３からの熱を逃がす壁部２ｃ１，２ｃ２として利用することができる。
【００３２】
また、本実施形態では、例えば、複数（本実施形態では、四つ）の第一の電池モジュール３ＡがＸ方向（第一の方向）に沿って並べられ、第一の電池モジュール３Ａのそれぞれの正極端子９ａがＸ方向の一方側に位置されるとともに、それぞれの負極端子９ｂがＸ方向の他方側に位置される。よって、本実施形態によれば、例えば、Ｘ方向に沿って並ぶ複数の第一の電池モジュール３Ａが、導電部材１５を介して比較的簡単に接続され、複数の第一の電池モジュール３Ａによる直列回路が、比較的容易に得られる。
【００３３】
また、本実施形態では、例えば、複数（本実施形態では、四つ）の第二の電池モジュール３ＢがＸ方向（第一の方向）に沿って並べられ、第二の電池モジュール３Ｂのそれぞれの正極端子９ａがＸ方向の他方側に位置されるとともに、それぞれの負極端子９ｂがＸ方向の一方側に位置される。すなわち、第一の電池モジュール３Ａの正極端子９ａおよび負極端子９ｂの配置と逆になっている。よって、本実施形態によれば、例えば、複数の第一の電池モジュール３Ａと複数の第二の電池モジュール３Ｂとを含む直列回路が、比較的容易に得られる。
【００３４】
また、本実施形態では、例えば、第一の電池モジュール３Ａおよび第二の電池モジュール３Ｂの筐体６は、壁部２ｃ１，２ｃ２と接続される壁部６ｃ１（第一の壁部）と、壁部６ｃ１とは反対側の壁部６ｃ２（第二の壁部）と、を有し、正極端子９ａおよび負極端子９ｂは、筐体６の壁部６ｃ１よりも壁部６ｃ２の近くに位置される。よって、本実施形態によれば、例えば、第一の電池モジュール３Ａおよび第二の電池モジュール３Ｂの正極端子９ａと負極端子９ｂとが、筐体２の中心部側（内周側）に位置されやすい。よって、例えば、第一の電池モジュール３Ａおよび第二の電池モジュール３Ｂの正極端子９ａと負極端子９ｂとが筐体２の外周側に位置された場合に比べて、複数の導電部材１５の全長が、より短くなりやすい。
【００３５】
また、本実施形態では、例えば、第一の電池モジュール３Ａおよび第二の電池モジュール３Ｂの筐体６は、壁部２ｃ１，２ｃ２と接続される壁部６ｃ１（第一の壁部）と、壁部６ｃ１とは反対側の壁部６ｃ２（第二の壁部）と、を有し、壁部６ｃ１には、複数の電池セル７が接続されている。よって、本実施形態によれば、複数の電池セル７の熱を、壁部６ｃ１を介した熱伝達により、壁部２ｃ１，２ｃ２に逃がすことができる。よって、例えば、筐体６の壁部６ｃ１とは別の壁部が壁部２ｃ１，２ｃ２と接続される構成と比べて、第一の電池モジュール３Ａおよび第二の電池モジュール３Ｂ（の電池セル７）がより効果的に冷却されやすい。
【００３６】
また、本実施形態では、例えば、複数の電池モジュール３が、少なくとも、防塵性および防滴性を有した筐体２（第一の筐体）内に収容されている。よって、本実施形態によれば、例えば、筐体２の内部への塵芥や、鉄粉、水滴等の侵入が抑制されやすい。よって、例えば、筐体２の防塵性および防滴性を確保することにより、塵や水等による電池モジュール３への影響が抑制されつつ、電池モジュール３の放熱性が高まりやすい。
【００３７】
また、本実施形態では、例えば、第一の電池モジュール３Ａおよび第二の電池モジュール３Ｂの筐体６を、壁部２ｃ１，２ｃ２に押し付ける弾性部材１８を備える。よって、本実施形態によれば、弾性部材１８の弾性力によって、筐体６の壁部６ｃ１と壁部２ｃ１，２ｃ２とが互いにより密着しやすい。よって、例えば、電池セル７の熱が、筐体６の壁部６ｃ１を介して壁部２ｃ１，２ｃ２により効果的に伝わりやすい。
【００３８】
また、本実施形態では、例えば、筐体２が、複数の電池モジュール３の筐体６よりも熱伝導率が高い材料（金属材料）で構成されている。よって、本実施形態によれば、例えば、筐体６に収容された複数の電池セル７の熱が、筐体６を介した熱伝達により、筐体２により効果的に伝わりやすい。なお、本実施形態では、筐体２の全体が金属材料で構成されたが、筐体２の少なくとも一部（例えば、壁部６ｃ１が取り付けられる部分）が、金属材料で構成されてもよい。また、本実施形態では、外壁部としての四つの壁部２ａ１，２ａ２，２ｃ１，２ｃ２に電池モジュール３が取り付けられるとともに熱的に接続されたが、さらに、外壁部としての壁部２ｂ１や壁部２ｂ２に電池モジュール３が取り付けられるとともに熱的に接続されてもよい。また、筐体２内には、対流（循環）する流体（気体、液体等）が入れられてもよい。対流によって、電池モジュール３で生じた熱を輸送することができる。
【００３９】
＜第２実施形態＞
図９に示される実施形態にかかる電池パック１Ａは、上記第１実施形態の電池パック１と同様の構成を備えている。よって、本実施形態によっても、上記第１実施形態と同様の構成に基づく同様の結果（効果）が得られる。
【００４０】
ただし、本実施形態では、例えば、図９に示されるように、第一の電池モジュール３Ａ、第二の電池モジュール３Ｂ、および第三の電池モジュール３Ｃが接続される四つの壁部２ａ１，２ａ２，２ｃ１，２ｃ２に、冷却機構３０が設けられている。冷却機構３０は、例えば、ヒートシンク（放熱部）３０ａを有する。本実施形態では、壁部２ａ１，２ａ２，２ｃ１，２ｃ２の、それぞれの外面２ｇに、板状のヒートシンク３０ａが熱的に接続されている。よって、本実施形態によれば、例えば、電池セル７の熱が、筐体６の壁部６ｃ１から壁部２ａ１，２ａ２，２ｃ１，２ｃ２を介してヒートシンク３０ａに伝達され、当該ヒートシンク３０ａから放出される。よって、例えば、第一の電池モジュール３Ａ、第二の電池モジュール３Ｂ、および第三の電池モジュール３Ｃが、より一層効果的に冷却されやすい。なお、冷却機構３０は、ヒートシンク３０ａを冷却するファン等を、さらに有してもよい。また、冷却機構３０は、冷却液を壁部２ａ１，２ａ２，２ｃ１，２ｃ２に沿って循環させる水冷ユニット（油冷ユニット）等で構成されてもよい。また、本実施形態では、四つの壁部２ａ１，２ａ２，２ｃ１，２ｃ２のそれぞれに冷却機構３０（ヒートシンク３０ａ）が設けられたが、いずれか一つの壁部（例えば、壁部２ｃ２）に冷却機構３０が設けられてもよい。この場合、本実施形態のように、四つの壁部２ａ１，２ａ２，２ｃ１，２ｃ２が互いに熱的に接続されていれば、一つの冷却機構３０によって、四つの壁部２ａ１，２ａ２，２ｃ１，２ｃ２が冷却されうる。
【００４１】
＜第３実施形態＞
図１０に示される実施形態にかかる電池パック１Ｂは、上記第１実施形態の電池パック１と同様の構成を備えている。よって、本実施形態によっても、上記第１実施形態と同様の構成に基づく同様の結果（効果）が得られる。
【００４２】
ただし、本実施形態では、例えば、図１０に示されるように、六つの第一の電池モジュール３Ａが、壁部２ｃ１にＸ方向（第一の方向）に沿って並んで配置され、六つの第二の電池モジュール３Ｂが、壁部２ｃ２にＸ方向（第一の方向）に沿って並んで配置されている。すなわち、本実施形態では、第三の電池モジュール３Ｃ（図１参照）を備えていない。また、本実施形態では、筐体２には、開口部３３が設けられている。開口部３３は、例えば、筐体２を短手方向（Ｙ方向、図１参照）に沿って貫通した貫通孔として構成されうる。壁部２ｂ１および壁部２ｂ２のうち少なくとも一方（例えば、壁部２ｂ２）には、壁部２ｂ１の開口部３３の縁部と壁部２ｂ２の開口部３３の縁部とに亘った角筒状の壁部２ｄ，２ｅが設けられている。壁部２ｄは、互いにＺ方向に間隔をあけてＸ方向に沿って平行に延びた壁部２ｄ１，２ｄ２を含む。また、壁部２ｅは、互いにＸ方向に間隔をあけてＺ方向に沿って平行に延びた壁部２ｅ１，２ｅ２を含む。このように、開口部３３は、六つの壁部２ｂ１，２ｂ２，２ｄ１，２ｄ２，２ｅ１，２ｅ２によって構成（形成）されている。また、壁部２ｄ１と第一の電池モジュール３Ａの壁部６ｃ２との間、および壁部２ｄ２と第二の電池モジュール３Ｂの壁部６ｃ２との間には、それぞれ、弾性部材４０が介在している。弾性部材４０は、例えば、ばね等によって構成されうる。本実施形態では、第一の電池モジュール３Ａおよび第二の電池モジュール３Ｂの筐体６が、弾性部材４０によって、壁部２ｃ１，２ｃ２に押し付けられた状態で、当該壁部２ｃ１，２ｃ２に固定されている。よって、本実施形態によれば、弾性部材４０が、筐体２と筐体６とを結合する結合部を兼ねることができる。よって、例えば、電池パック１Ｂの部品点数が減りやすい。また、弾性部材４０の弾性力によって、筐体６の壁部６ｃ１と壁部２ｃ１，２ｃ２とが互いにより密着しやすく、電池セル７の熱が、筐体６の壁部６ｃ１を介して壁部２ｃ１，２ｃ２により効果的に伝わりやすい。
【００４３】
＜第４実施形態＞
図１１に示される実施形態にかかる電池パック１Ｃは、上記第１実施形態の電池パック１と同様の構成を備えている。よって、本実施形態によっても、上記第１実施形態と同様の構成に基づく同様の結果（効果）が得られる。
【００４４】
ただし、本実施形態では、例えば、図１１に示されるように、複数の電池モジュール３は、第一の電池モジュール３Ａと、第四の電池モジュール３Ｄと、を含む。第一の電池モジュール３Ａは、筐体２の壁部２ｃ１（下壁部）に取り付けられている。また、第四の電池モジュール３Ｄは、複数の電池モジュール３のうち第一の電池モジュール３Ａとは別の電池モジュールであり、筐体２の壁部２ｄ２に取り付けられている。壁部２ｄ２は、壁部２ｃ１と離間した壁部であり、上記第３実施形態と同様に、開口部３３の一部を構成（形成）している。また、壁部２ｄ２は、壁部２ｃ１と向かい合った壁部２ｄ１とは反対側の壁部である。すなわち、壁部２ｃ１と壁部２ｄ２とは、互いに向かい合っていない。本実施形態では、壁部２ｃ１は、第一の外壁部の一例であり、壁部２ｄ２は、第二の外壁部の一例である。第一の電池モジュール３Ａと第四の電池モジュール３Ｄとは、それぞれの壁部２ｃ１，２ｄ２に同じ姿勢で配置されている。すなわち、第一の電池モジュール３Ａおよび第四の電池モジュール３Ｄは、それぞれの正極端子９ａがＸ方向（第一の方向）の一方側（図１１の右側）に位置され、それぞれの負極端子９ｂがＸ方向の他方側（図１１の左側）に位置されている。第一の電池モジュール３Ａと第四の電池モジュール３Ｄとは、例えば、ブラケット１６および結合具１７（図２参照）によって、壁部２ｃ１，２ｄ２に結合（固定）されうる。よって、本実施形態によれば、例えば、第一の電池モジュール３Ａおよび第四の電池モジュール３Ｄの電池セル７の熱を、それぞれの筐体６を介した熱伝達により、壁部２ｃ１，２ｄ２に逃がすことができる。なお、本実施形態では、開口部３３が、筐体２を貫通した貫通孔として構成されたが、開口部３３は、筐体２の壁部（例えば、壁部２ｂ１，２ｂ２（側壁部）、図１参照）に設けられた凹部であってもよい。
【００４５】
＜第５実施形態＞
図１２に示される実施形態にかかる電池パック１Ｄは、上記第１実施形態の電池パック１と同様の構成を備えている。よって、本実施形態によっても、上記第１実施形態と同様の構成に基づく同様の結果（効果）が得られる。
【００４６】
ただし、本実施形態では、例えば、図１２に示されるように、複数の電池モジュール３は、壁部２ｃ１と熱的に接続された第一の電池モジュール３Ａと、壁部２ｃ２と熱的に接続された第二の電池モジュール３Ｂと、壁部２ｄ１，２ｄ２と熱的に接続された第四の電池モジュール３Ｄと、を含む。本実施形態では、例えば、複数の第一の電池モジュール３Ａと壁部２ｄ１側の複数の第四の電池モジュール３Ｄとが、高さ方向（Ｚ方向）で互いに反転した状態（姿勢）で設けられ、複数の第二の電池モジュール３Ｂと壁部２ｄ２側の複数の第四の電池モジュール３Ｄとが、高さ方向（Ｚ方向）で互いに反転した状態（姿勢）で設けられている。本実施形態では、壁部２ｃ１は、第一の外壁部の一例であり、壁部２ｃ２，２ｄ１，２ｄ２は、第二の外壁部の一例である。
【００４７】
＜第６実施形態＞
図１３に示される実施形態にかかる電池パック１Ｅは、上記第１実施形態の電池パック１と同様の構成を備えている。よって、本実施形態によっても、上記第１実施形態と同様の構成に基づく同様の結果（効果）が得られる。
【００４８】
ただし、本実施形態では、例えば、図１３に示されるように、複数の電池モジュール３は、壁部２ｃ１と熱的に接続された第一の電池モジュール３Ａと、壁部２ｃ２と熱的に接続された第二の電池モジュール３Ｂと、壁部２ａ１，２ａ２と熱的に接続された第三の電池モジュール３Ｃと、壁部２ｄ１，２ｄ２と熱的に接続された第四の電池モジュール３Ｄと、を含む。このように、本実施形態では、すべての電池モジュール３が、外壁部としての六つの壁部２ａ１，２ａ２，２ｃ１，２ｃ２，２ｄ１，２ｄ２に取り付けられている。
【００４９】
＜第７実施形態＞
図１４に示される実施形態にかかる電池パック１Ｆは、上記第１実施形態の電池パック１と同様の構成を備えている。よって、本実施形態によっても、上記第１実施形態と同様の構成に基づく同様の結果（効果）が得られる。
【００５０】
ただし、本実施形態では、例えば、図１４に示されるように、電池パック１Ｆの筐体２内に、ファン装置５０が設けられている。ファン装置５０は、第一の流動装置の一例である。複数の電池モジュール３は、防塵性および防滴性を有して略密閉された筐体２内に収容されている。本実施形態では、ファン装置５０によって、略密閉された筐体２内の気体（流体）を循環（流動）させる。これにより、筐体２内の熱が外壁部としての壁部２ａ１，２ａ２，２ｃ１，２ｃ２および壁部２ｂ１，２ｂ２（図１参照）等に伝わりやすくなり、電池モジュール３の放熱性を高めることができる。また、図１４に示されるように、本実施形態では、ファン装置５０は、互いに離間した第一の電池モジュール３Ａと第二の電池モジュール３Ｂとの間の空間に面して設けられ、それぞれの筐体６の壁部６ｃ２の表面に沿って流れる空気流を生成している。上述したように、第一の電池モジュール３Ａおよび第二の電池モジュール３Ｂの電池セル７の熱は、それぞれの筐体６の壁部６ｃ１側から筐体２に伝達されるため、壁部６ｃ１側と比べて壁部６ｃ２側（正極端子９ａおよび負極端子９ｂ側、筐体２の中心部側）がより高温となる虞がある。その点、本実施形態によれば、ファン装置５０の空気流によって、壁部６ｃ２側（筐体２の中心部側）の熱を効率よく輸送することができるため、例えば、場所による電池モジュール３の冷却効果（温度）のばらつきが抑制されやすいという利点がある。よって、例えば、電池モジュール３、ひいては電池パック１Ｆの寿命が延びやすい場合がある。なお、筐体２の壁部２ａ１，２ａ２，２ｂ１，２ｂ２，２ｃ１，２ｃ２等には、上記第２実施形態の冷却機構３０（図９参照）が設けられてもよい。冷却機構３０によって、複数の電池モジュール３が、より一層効果的に冷却されうる。なお、本実施形態では、筐体２内の気体を流動させるファン装置５０が設けられた場合が例示されたが、これに限定されず、例えば、筐体２内に複数の電池モジュール３と接触する液体（流体）が入れられるとともに、筐体２内の液体を流動させる流動装置が設けられてもよい。
【００５１】
＜第８実施形態＞
図１５〜１７に示されるように、電池装置７０（電池システム、蓄電池装置）は、例えば、収容体７１（筐体、ケース）と、収容体７１に収容される複数（例えば、三個）の電池パック１Ｆと、ファン装置６０と、を備える。電池装置７０は、種々の装置や、機械、設備等に設置され、それら種々の装置や、機械、設備の電源として使用されうる。なお、本実施形態では、一例として、電池装置７０が鉄道車両１００の床下に搭載された場合が例示されるが、本実施形態の電池装置７０は、これに限定されない。電池装置７０は、例えば、鉄道車両１００の屋根に搭載されてもよいし、バス（自動車）等の鉄道車両１００以外の車両に搭載されてもよい。また、本実施形態では、電池装置７０が上記第７実施形態の電池パック１Ｆを備えているが、電池パック１Ｆに換えて上記第１〜６実施形態の電池パック１，１Ａ〜１Ｅを備えてもよい。さらに、本実施形態では、電池装置７０の収容体７１に三個の電池パック１Ｆが設けられているが、一個、二個、あるいは四個以上の電池パック１Ｆが設けられてもよい。
【００５２】
図１６，１７に示されるように、収容体７１は、複数の壁部７１ａ〜７１ｃを有する。壁部７１ａは、平面視では鉄道車両１００の前後方向（進行方向）に縦長の長方形状に構成されている。壁部７１ａは、下壁や、底壁等と称され、例えば、電池パック１Ｆの壁部２ｂ（２ｂ２）と面する（対向する、重なる）。壁部７１ｂは、壁部７１ａの短手方向の両側の端部に設けられ、壁部７１ａから当該壁部７１ａの厚さ方向の一方側（図１６の上側）に突出している。本実施形態では、壁部７１ａの短手方向は、鉄道車両１００の車幅方向に沿い、壁部７１ａの長手方向は、鉄道車両１００の前後方向に沿い、壁部７１ａの厚さ方向は、鉄道車両１００の上下方向に沿う。壁部７１ｂは、側壁や、立壁等と称され、例えば、電池パック１Ｆの壁部２ｃ（２ｃ１，２ｃ２）と面する（対向する、重なる）。図１６に示されるように、収容体７１には、相互に接続された壁部７１ａおよび二つの壁部７１ｂによって、壁部７１ａの厚さ方向の一方側（図１６の上側）に向けて開放された凹部７１ｄが形成されている。図１７にも示されるように、複数の電池パック１Ｆは、それぞれの長手方向が鉄道車両１００の前後方向に沿うとともに互いに鉄道車両１００の車幅方向に間隔をあけた状態で、凹部７１ｄに収容されている（載せられている）。なお、複数の電池パック１Ｆは、例えば、接着剤やブラケット１６および結合具１７（図３参照）等の結合部によって、収容体７１に結合（固定）されうる。
【００５３】
また、壁部７１ｃは、壁部７１ｂの高さ方向の一方側（図１６の上側）の端部に設けられ、壁部７１ｂから壁部７１ａの短手方向の外側に向けて突出している。壁部７１ｃは、張出部や、フランジ等と称され、鉄道車両１００の車体１０１に設けられた取付部１０１ａと面する（対向する、重なる）。図１７に示されるように、壁部７１ｃには、鉄道車両１００の前後方向に互いに間隔をあけて複数の開口部７１ｒが設けられている。本実施形態では、例えば、壁部７１ｃの開口部７１ｒおよび取付部１０１ａの開口部（図示されず）を通されたボルトにナットが噛み合うことによって、収容体７１が車体１０１に結合（固定）されうる。
【００５４】
図１７に示されるように、ファン装置６０は、収容体７１内に設けられている。ファン装置６０は、例えば、凹部７１ｄの長手方向（鉄道車両１００の前後方向）の一方側の端部から吸入され他方側の端部から排出される空気流を生成する。ファン装置６０は、第二の流動装置の一例である。ファン装置６０によって収容体７１内に吸入された空気は、互いに隣接した二つの電池パック１Ｆの間の隙間（通路）を通り、電池パック１Ｆの下流側に流出する。すなわち、ファン装置６０は、二つの電池パック１Ｆの、互いに対向した壁部２ｃ１，２ｃ２の表面に沿った空気流を生じさせる。これにより、複数の電池モジュール３が熱的に接続された壁部２ｃ１，２ｃ２を空気流によって冷却することができるため、電池パック１Ｆの放熱性を高めることができる。
【００５５】
また、図１６に示されるように、収容体７１の二つの壁部７１ｂと、鉄道車両１００の車幅方向の両側の二つの電池パック１Ｆとの間には、それぞれ、熱伝導部材５８が設けられている。よって、当該二つの電池パック１Ｆで発生した熱の一部は、熱伝導部材５８および壁部７１ｂを介して、収容体７１の外部に放出される。熱伝導部材５８は、例えば、熱伝導性フィラー（金属材料）が含有された合成樹脂材料等で構成されうる。図１７に示されるように、本実施形態では、壁部７１ｂと電池パック１Ｆとの間に比べて隣接した二つの電池パック１Ｆの間の隙間（通路）に、より多くの熱が放出されやくなる。ここで、本実施形態では、熱伝導部材５８によって壁部７１ｂと電池パック１Ｆとの間にファン装置６０の空気流が流れるのが抑制されるので、例えば、壁部７１ｂと電池パック１Ｆとの間に隙間（通路）が設けられる場合と比べて、隣接した二つの電池パック１Ｆの間の隙間（通路）を流れる空気流の流速を高めることができる。よって、例えば、二つの電池パック１Ｆの間の冷却効果が高まりやすくなり、場所による電池モジュール３の冷却効果（温度）のばらつきが抑制されやすい場合がある。熱伝導部材５８は、熱伝導層の一例である。熱伝導層は、例えば、熱伝導シートや、グリス、接着剤等であってもよい。なお、本実施形態では、壁部７１ｂと電池パック１Ｆとの間に熱伝導部材５８が設けられたが、熱伝導部材５８が設けられずにファン装置６０の空気流が流れる隙間（通路）が設けられてもよい。さらに、本実施形態では、収容体７１に一つのファン装置６０が設けられたが、二つの電池パック１Ｆの間の隙間（通路）毎に複数のファン装置６０が設けられてもよい。
【００５６】
また、図１７に示されるように、収容体７１のファン装置６０の上流側には、フィルタ装置５５が設けられている。フィルタ装置５５は、例えば、慣性フィルタとへパフィルタとの組み合わせによる二層タイプのフィルタとして構成されうる。なお、フィルタ装置５５は、その他のフィルタの組み合わせで構成されてもよいし、二層以上の多層タイプ、あるいは一層タイプで構成されてもよい。よって、本実施形態によれば、例えば、フィルタ装置５５によって、収容体７１の内部への塵芥や水分等の侵入を抑制することができる。
【００５７】
また、図１７に示されるように、収容体７１は、複数の壁部７１ｔを有する。壁部７１ｔは、隔壁部や、仕切壁、分離壁等と称され、フィルタ装置５５とファン装置６０との間に亘っている。壁部７１ｔは、収容体７１のファン装置６０の上流側の空間部と下流側の空間部とを区画している。これにより、例えば、ファン装置６０の下流側に流出した空気流が、ファン装置６０の上流側の空間部へと戻り、再びファン装置６０に吸い込まれること等を抑制することができる。
【００５８】
図１５に示されるように、電池装置７０は、鉄道車両１００の前後方向の二つの車輪１０２の間の空間部に設置されている。鉄道車両１００の床下には、電池装置７０の他にも様々な機器が配置されうる。本実施形態によれば、電池装置７０がファン装置６０を備えるため、例えば、走行風が他の機器によって遮られるような場合でも、ファン装置６０によってより確実に複数の電池パック１Ｆを冷却することができる。なお、本実施形態では、収容体７１の長手方向（鉄道車両１００の前後方向）の両側が開放された場合が例示されたが、上記第７実施形態のように、収容体７１は略密閉されていてもよい。この場合、ファン装置６０によって収容体７１内の気体を循環させることにより、電池パック１Ｆの放熱性を高めることができる。また、略密閉された収容体７１内に複数の電池パック１Ｆと接触する液体（流体）が入れられるとともに、収容体７１内の液体を流動させる流動装置が設けられてもよい。また、本実施形態では、空気流が収容体７１の長手方向の他方側の端部から排出されたが、例えば、当該他方側の端部が壁部によって塞がれるとともに、壁部７１ａに空気流の排出孔が設けられてもよい。鉄道車両１００は、路線を往復運転する場合があるので、排出孔が鉄道車両１００の前後方向（進行方向）に沿って開口された場合、往路と復路とで空気流の排出能力に差が生じてしまう虞がある。その点、排出孔が壁部７１ａに設けられることにより、往路と復路とで空気流の排出能力に差が生じるのを抑制することができる。
【００５９】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【図１】
2015178456.tif 000003
【図２】
2015178456.tif 000004
【図３】
2015178456.tif 000005
【図４】
2015178456.tif 000006
【図５】
2015178456.tif 000007
【図６】
2015178456.tif 000008
【図７】
2015178456.tif 000009
【図８】
2015178456.tif 000010
【図９】
2015178456.tif 000011
【図１０】
2015178456.tif 000012
【図１１】
2015178456.tif 000013
【図１２】
2015178456.tif 000014
【図１３】
2015178456.tif 000015
【図１４】
2015178456.tif 000016
【図１５】
2015178456.tif 000017
【図１６】
2015178456.tif 000018
【図１７】
2015178456.tif 000019
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
第一の外壁部と、前記第一の外壁部と異なる第二の外壁部と、を有した第一の筐体と、
前記第一の外壁部に固定され、それぞれが第二の筐体、および前記第二の筐体に収容された複数の電池セルを有した、第一の複数の電池モジュールと、
前記第二の外壁部に固定され、それぞれが第二の筐体、および前記第二の筐体に収容された複数の電池セルを有した、第二の複数の電池モジュールと、
前記第一の複数の電池モジュールを前記第一の外壁部へ押し付け、前記第二の複数の電池モジュールを前記第二の外壁部へ押し付ける弾性部材と、
を備えた、電池パック。
【請求項２】
前記第一の外壁部と前記第二の外壁部とは互いに向き合った、請求項１に記載の電池パック。
【請求項３】
前記第一の複数の電池モジュールは、それぞれ正極端子および負極端子を有し、
前記第一の複数の電池モジュールのそれぞれの前記正極端子が第一の方向の一方側に位置され、前記第一の複数の電池モジュールのそれぞれの前記負極端子が前記第一の方向の他方側に位置されるように、前記第一の複数の電池モジュールが、前記第一の外壁部上に前記第一の方向に沿って並ぶ、請求項１または２に記載の電池パック。
【請求項４】
前記第二の複数の電池モジュールは、それぞれ正極端子および負極端子を有し、
前記第二の複数の電池モジュールのそれぞれの前記負極端子が前記第一の方向の一方側に位置され、前記第二の複数の電池モジュールのそれぞれの前記正極端子が前記第一の方向の他方側に位置されるように、前記第二の複数の電池モジュールが前記第一の方向に沿って並ぶ、請求項３に記載の電池パック。
【請求項５】
前記第二の筐体は、前記第一の外壁部または前記第二の外壁部に固定される第一の壁部と、前記第一の壁部とは反対側の第二の壁部と、を有し、
前記正極端子および前記負極端子は、前記第二の壁部の近くに位置された、請求項３または４に記載の電池パック。
【請求項６】
前記第二の筐体は、前記第一の外壁部または前記第二の外壁部に固定される第一の壁部と、前記第一の壁部とは反対側の第二の壁部と、を有し、
前記複数の電池セルが前記第一の壁部に設置された、請求項１〜５のうちいずれか１項に記載の電池パック。
【請求項７】
前記第一の筐体には開口部が設けられ、
前記第一の外壁部および前記第二の外壁部のうち少なくとも一方が、前記開口部の一部を形成している、請求項１〜６のうちいずれか１項に記載の電池パック。
【請求項８】
前記弾性部材と前記電池モジュールとを保持する複数のブラケット、をさらに備えた、請求項１〜７のうちいずれか１項に記載の電池パック。
【請求項９】
前記第一の外壁部および前記第二の外壁部のうち少なくとも一方を冷却する冷却機構を備えた、請求項１〜８のうちいずれか１項に記載の電池パック。
【請求項１０】
冷気を生成するための第一のファン、をさらに備えた、請求項１〜９のうちいずれか１項に記載の電池パック。
【請求項１１】
複数の、請求項１〜１０のうちいずれか１項に記載の電池パックと、
前記複数の電池パックを収容する収容体と、
前記収容体内に冷気を生成するための第二のファンと、
を備えた、電池装置。
【手続補正２】
【補正対象書類名】明細書
【補正対象項目名】０００５
【補正方法】変更
【補正の内容】
【０００５】
実施形態の電池パックは、例えば、第一の筐体と、第一の複数の電池モジュールと、第二の複数の電池モジュールと、弾性部材と、を備える。第一の筐体は、第一の外壁部と、第一の外壁部と異なる第二の外壁部と、を有する。第一の複数の電池モジュールは、前記第一の外壁部に固定され、それぞれが第二の筐体、および前記第二の筐体に収容された複数の電池セルを有する。前記第二の複数の電池モジュールは、前記第二の外壁部に固定され、それぞれが第二の筐体、および前記第二の筐体に収容された複数の電池セルを有する。前記弾性部材は、前記第一の複数の電池モジュールを前記第一の外壁部へ押し付け、前記第二の複数の電池モジュールを前記第二の外壁部へ押し付ける。
【手続補正３】
【補正対象書類名】明細書
【補正対象項目名】００２２
【補正方法】変更
【補正の内容】
【００２２】
図１，２に示されるように、本実施形態では、複数の電池モジュール３は、第一の電池モジュール３Ａと、第二の電池モジュール３Ｂと、第三の電池モジュール３Ｃと、を含む。第一の電池モジュール３Ａは、筐体２の壁部２ｃ１（下壁部）に取り付けられ、壁部２ｃ１と熱的に接続されている。第二の電池モジュール３Ｂは、複数の電池モジュール３のうち第一の電池モジュール３Ａとは別の電池モジュールであり、筐体２の壁部２ｃ２（上壁部）に取り付けられ、壁部２ｃ２と熱的に接続されている。また、第三の電池モジュール３Ｃは、複数の電池モジュール３のうち第一の電池モジュール３Ａおよび第二の電池モジュール３Ｂとは別の電池モジュールであり、筐体２の壁部２ａ（側壁部）に取り付けられ、壁部２ａと熱的に接続されている。本実施形態では、例えば、四つの第一の電池モジュール３Ａが、壁部２ｃ１にＸ方向（第一の方向）に沿って並んで配置され、四つの第二の電池モジュール３Ｂが、壁部２ｃ２にＸ方向（第一の方向）に沿って並んで配置されている。また、四つの第三の電池モジュール３Ｃのうち、二つの第三の電池モジュール３Ｃが、壁部２ａ１にＺ方向に沿って並んで配置され、残りの二つの第三の電池モジュール３Ｃが、壁部２ａ２にＺ方向に沿って並んで配置されている。すなわち、本実施形態では、第一の電池モジュール３Ａ、第二の電池モジュール３Ｂ、および第三の電池モジュール３Ｃが、全体として周状に配置されている。このように、本実施形態では、全ての電池モジュール３が、外壁部（周壁部）としての壁部２ａ１，２ａ２，２ｃ１，２ｃ２に取り付けられている。本実施形態では、壁部２ｃ１は、第一の外壁部の一例であり、壁部２ｃ２は、第二の外壁部の一例である。
【国際調査報告】
2015178456.tif 000020
2015178456.tif 000021
2015178456.tif 000022
2015178456.tif 000023